(57)【要約】      （修正有）【課題】自動イベント作成を実施する改良されたシステムおよび方法を提供する。【解決手段】将来の所定の時刻に起こるイベントに関連するファイルを格納する際に用いる自動イベント作成システムおよび方法５０が提供される。例示的なシステムは、コンピュータ機器と、周辺機器と、コンピュータ機器に接続されると、周辺機器上で作成されたファイルが自動的に入れられるフォルダを周辺機器上に作成する、ソフトウェア、またはフォルダ作成手段と、を備える。１つの例示的な方法は、コンピュータ機器上でイベントを受け入れること５１と、周辺機器をコンピュータ機器に接続すること５２と、接続された周辺機器上にイベント用のフォルダを作成すること５３と、所定の時刻後に、周辺機器上で作成されたファイルをフォルダに自動的に入れること５４と、を含む。【選択図】図２
2005149479.tif 000002
【特許請求の範囲】
【請求項１】
将来の所定の時刻に起こるイベントに関連するファイルを格納する際に用いるイベント作成システムであって、
コンピュータ機器と、
前記コンピュータ機器に接続可能な周辺機器と、
前記周辺機器が前記コンピュータ機器に接続されると、前記所定の時刻後に該周辺機器上で作成されるファイルが自動的に入れられるフォルダを該周辺機器上に作成する、前記コンピュータ機器上で実行されるソフトウェアと、
を備えているイベント作成システム。
【請求項２】
電子メールを基にするイベント作成システムを備え、前記コンピュータ機器は、将来の所定の時刻に起こるイベントに関連する電子メールメッセージを受信することが可能であり、前記ソフトウェアは、前記電子メールメッセージの受信に応答して、前記周辺機器上に前記フォルダを作成する、請求項１に記載のイベント作成システム。
【請求項３】
ドッキングを基にするイベント作成システムを備え、前記コンピュータ機器は、複数の周辺機器に接続することが可能であり、前記ソフトウェアは、前記周辺機器の前記コンピュータ機器への接続に応答して、前記所定の時刻後に作成されるファイルが自動的に入れられるフォルダを前記周辺機器のそれぞれに作成する、請求項１記載のイベント作成システム。
【請求項４】
前記フォルダは、イベントタイミングの記述子であって、該フォルダ用に作成された、前記イベントに関連するメタデータを備えている、請求項１に記載のイベント作成システム。
【請求項５】
将来の所定の時刻に起こるイベントに関連するファイルを格納する際に用いる方法であって、
コンピュータ機器上でイベントを受け入れるステップと、
前記イベント時に用いるように指定された周辺機器を前記コンピュータ機器に接続するステップと、
前記接続された周辺機器上に前記イベント用のフォルダを作成するステップと、
前記所定の時刻後に、前記周辺機器上で作成されるファイルを前記フォルダに自動的に入れるステップと、
を含む方法。
【請求項６】
前記イベントを受け入れるステップが、電子メールを基にするイベントを含み、該電子メールのメッセージの受信により、前記フォルダを前記周辺機器上に作成する、請求項５に記載の方法。
【請求項７】
前記フォルダが、該フォルダ用に作成された、イベントに関連するメタデータを備えている、請求項５に記載の方法。
【請求項８】
将来の所定の時刻に起こるイベントに関連するファイルを格納する際に用いる方法であって、
周辺機器を接続することができるようにコンピュータ機器を構成するステップと、
前記イベント時に、前記周辺機器を前記パーソナルコンピュータに接続するステップと、
接続時に、前記周辺機器上に作成されるファイルが自動的に入れられるフォルダを、前記接続された周辺機器上に作成するステップと、
を含む方法。
【請求項９】
前記フォルダが、該フォルダ用に作成された、前記イベントに関連するメタデータを備えている、請求項８に記載の方法。
【請求項１０】
前記メタデータが、前記イベントタイミングの記述子である、請求項８に記載の方法。
【発明の詳細な説明】
【技術分野】
【０００１】
本発明は、包括的には、たとえば、デジタルカメラシステム等のコンピュータ機器、および関連の方法に関する。
【背景技術】
【０００２】
これまで本発明の譲受人によって製造されてきたデジタルカメラシステム等の現在のデジタルカメラシステムは、数百または数千の写真を格納することができる。この多くの写真を有するカメラ上で特定の写真を見つけるという問題は、ユーザに対して大きな課題を投げかけている。
【０００３】
特に、自動検索が、その写真が撮影された日付および／または時刻に基づく場合、推測が必要である。手動検索が用いられる場合、ファイルまたはフォルダを指定するために、カメラ上で多量のタイピングまたは選択が必要である。
【発明の開示】
【発明が解決しようとする課題】
【０００４】
本発明は、自動イベント作成を実施する改良されたシステムおよび方法を提供する。
【課題を解決するための手段】
【０００５】
大まかに言えば、本発明の例示的な実施形態は、将来の所定の時刻に起こるイベントに関連するファイルを格納する際に用いるイベント作成システムを提供する。例示的なシステムは、コンピュータ機器と、該コンピュータ機器に接続可能な周辺機器と、前記コンピュータ機器に接続されると、前記所定の時刻後に前記周辺機器上で作成されたファイルが自動的に入れられるフォルダを前記周辺機器上に作成する、前記コンピュータ機器上で実行されるソフトウェア、またはフォルダ作成手段と、を備える。
【０００６】
１つの例示的な方法は、コンピュータ機器上でイベントを受け入れることと、該イベント時に用いられるように指定された周辺機器を前記コンピュータ機器に接続することと、前記接続された周辺機器上に前記イベント用のフォルダを作成することと、前記所定の時刻後に、前記周辺機器上で作成されるファイルを前記フォルダに自動的に入れることと、を含む。
【０００７】
別の例示的な方法は、周辺機器に接続することができるようにコンピュータ機器を構成することと、イベント時に、前記周辺機器を前記パーソナルコンピュータに接続することと、接続時に、前記周辺機器上で作成されるファイルが自動的に入れられるフォルダを前記接続された周辺機器上に作成することと、を含む。
【０００８】
本発明の実施形態の様々な特徴および利点は、添付の図面とともに、以下の詳細な説明を参照することによってさらに容易に理解され得る。これらの図面では、同様の参照符号は、同様の構造要素を指す。
【発明を実施するための最良の形態】
【０００９】
本発明のいくつかの実施形態を開示する。第１の実施形態は、電子メールを基にするイベント作成に関し、第２の実施形態は、ドッキングを基にするイベント作成に関する。本発明は、デジタルカメラには限定されないが、以下に記載される実施形態は、デジタルカメラにおいて具体化されている。他のコンピュータ機器は、本発明を実施するように容易に構成されることができる。たとえば、パーソナルコンピュータ、ハンドヘルドコンピュータ、携帯情報端末（ＰＤＡ）、および携帯電話等は、本発明を具体化することができる。
【００１０】
図面を参照すると、図１は、例示的なパーソナルコンピュータ３０に接続された（ドッキングされた）例示的なデジタルカメラ１０を用いる、本発明の原理による、電子メールを基にするイベント作成の例示的な実施形態を示す。パーソナルコンピュータ３０は、電子メールを受信することが可能なネットワーク３１（固定または無線）に接続されている。
【００１１】
図１に示されるように、例示的なデジタルカメラ１０は、握り部１１および本体部１２を備える。握り部１１は、ロックラッチ１４を有する電源ボタン１３、記録ボタン１５、および電池１７を収容するための電池コンパートメント１６を備える。
【００１２】
本体部１２の背面１８は、液晶ディスプレイ（ＬＣＤ）１９またはビューファインダ１９等のディスプレイ１９、マイク２１、ジョイスティックパッド２２、カメラ１０の機能を設定するための複数のボタン２３、画像をたとえばコンピュータにダウンロードするための出力ポート２４、およびスピーカ２５を備える。処理回路２６は、本体部１２内に収容されている。処理回路２６は、デジタルカメラ１０の様々な機能を実施する。
【００１３】
図２は、本発明の原理による、例示的な、電子メールを基にするイベント作成方法５０を示す流れ図である。図２を参照すると、たとえば、会議は、電子メールを介してスケージュール設定されることができる。デジタルカメラ１０上でのフォルダ２０の作成は、この会議のスケジューリングの拡張機能である。会議は、将来に発生する事柄である。
【００１４】
一般に、方法５０は、将来の所定の時刻に起こるイベントに関連するファイルを格納するために用いられる。イベントが、コンピュータ機器３０上で受け入れられる（５１）。イベントで用いられるように指定された周辺機器１０が、コンピュータ機器に接続される（５２）。接続された周辺機器上で、イベント用にフォルダ２０が作成される（５３）。所定の時刻後、周辺機器上で作成されたファイルは、自動的にフォルダに入れられる（５４）。
【００１５】
例として、会議を受け入れるというよりはむしろ、会議を表すイベントをパーソナルコンピュータ３０上で受け入れ（５１）、たとえば、ドッキングされたデジタルカメラ１０、ハンドヘルドパーソナルコンピュータ、またはＰＤＡ等の、イベント用に指定された周辺機器が、パーソナルコンピュータ３０に接続される（５２）。（たとえば、電子メールの主題に関連する直観的な名称を有する）フォルダ２０は、ドッキングされたカメラ１０上で、イベント用に作成される（５３）。フォルダ２０は、機器のオペレーティングシステムに応じて、フォルダ用に作成された（５４）、イベントに関連するメタデータを含むことができる。メタデータは、単に、たとえば、イベントタイミングの記述子であってよい。
【００１６】
会議に参加すると、デジタルカメラ１０（または、ハンドヘルドパーソナルコンピュータ、またはＰＤＡ）によって記録されるすべてのデータおよび画像は、会議（イベント）に関連するフォルダ２０内に入れられる。したがって、会議に関連するデータおよび画像を見るために必要なことは、会議用に指定されたフォルダ２０内のファイルにアクセスし、データおよび画像を得ることだけである。
【００１７】
例を挙げるとよく分かるであろう。私の息子が誕生パーティーを開くと仮定しよう。この場合、私は、電子メールでゲストを招待する。私の場合、電子メールメッセージを送信すると、パーソナルコンピュータ３０上のソフトウェア３２は、ドッキングされたカメラ１０と通信し、イベントフォルダ２０を作成し、都合よく格納されているイベント（誕生パーティー）用の日時（メタデータ）を提供する。
【００１８】
パーティーに参加すると、カメラ１０は、イベントに対応する日時を有するフォルダ２０を自動的に探し、撮影されたすべての写真またはテキストノート等の他のデータをこのフォルダ２０に入れる。パーティーに招かれたゲストもまた、誕生パーティー用に作成されたフォルダ２０を有するカメラ１０または他の機器１０をパーティーに持ってくることができる。ゲストが参加しないとき、たとえば、ゲストが忙しく、招待を受け入れられないとき、フォルダが彼らの機器上に作成され、使用されないか、イベント後に空である場合には破棄される。誕生パーティー用に設定された時刻後の画像またはファイルの作成により、機器１０上のフォルダ２０内へのファイルの格納が開始される。
【００１９】
すべてのファイルシステムは、上記のように作用するように構成されることができ、たとえば、パーソナルコンピュータ３０、ハンドヘルドコンピュータ、ＰＤＡ、または携帯電話は、イベント単位でフォルダを編成するように構成されることができることを理解されたい。この場合、私は、特許研修会に参加する予定であるとしよう。私は恐らく招待されていて、この場合、私のパーソナルコンピュータ３０上のソフトウェア３２は、イベント（特許研修会）用のファイルフォルダ２０を作成するであろう。上述の周辺機器（デジタルカメラ１０等）によって行われる動作と同様に、ここで、パーソナルコンピュータ３０は、私のコンピュータ３０上で作成されるすべてのファイルをこのファイルフォルダ２０内に入れる。このファイルフォルダ２０に入れられるファイルは、たとえば、イベントに関連する日付および／または時刻に関して管理されることができる。
【００２０】
本発明の第２の実施形態は、たとえば、デジタルカメラ１０等の周辺機器１０にさらに固有の、ドッキングを基にするイベントの作成を含む。図３は、本発明の原理によるドッキングを基にするイベントの作成の例示的な実施形態を示す。図４は、本発明の原理による例示的なドッキングを基にするイベント作成方法６０を例示する流れ図である。
【００２１】
例により、私のパーソナルコンピュータ３０は、一群のカメラ１０が、私の息子の誕生パーティーの時刻に、接続される（または差し込まれる）ことができるように構成されている（６１）。これは、たとえば、ユニバーサルシリアルバス（ＵＳＢ）接続部３３、ドッキング３４、またはネットワーク接続部３１を用いて成し遂げることができる。
【００２２】
ゲストが誕生パーティーに到着すると、彼らは、たとえば、彼らのカメラ１０を私のドッキング３４によって私のパーソナルコンピュータ３０に接続する（６２）か、ユニバーサルシリアルバス（ＵＳＢ）接続部３３を用いてパーソナルコンピュータ３０に差し込むか、私の無線ネットワーク３１の範囲内に入るか、または私のカメラ１０の範囲内に入る。私のパーソナルコンピュータ３０へのゲストのカメラ１０のインターフェースまたは接続部３３によって、私のパーソナルコンピュータ３０上のソフトウェア３２は、上記と同様に、接続されたカメラ１０のそれぞれにフォルダ２０を作成することができる（６３）。ソフトウェア３２はまた、メタデータを作成する（６４）ために用いられ、都合よく格納されたイベント（誕生パーティー）用の日時（メタデータ）を提供する。
【００２３】
本明細書に開示される実施形態に関して、予定表を作成することによって、ファイルフォルダ２０と同様に、サブディレクトリも作成され得る（５５、６５）ことに留意されたい。例として結婚式が挙げられる。可能なサブディレクトリは、結婚式、ケーキカット、初めてのダンス、退場等である。
【００２４】
本発明によると、フォルダ２０は、都合よくかつ直観的な命名規則で名づけられることができる。本発明によると、機器１０へ自動的にダウンロードしてこれらの命名規則を維持し、データをはるかに簡単に特定することができるようになる。本発明は、編成によってスケジューリングの直観的なモデルを拡張する。イベントの作成の自動化により、カメラ１０のユーザは、イベント（すなわち、カメラ１０のパワーサイクリング、および／または最後に使用したときからの日時）を推測する必要がなくなる。
【００２５】
このように、本発明は、たとえば、イベント時に開始して、写真を自動的にフォルダ２０に格納させるように動作し、イベント後にユーザによって見られることができるフォルダ２０が、デジタルカメラ１０上で作成されるように、イベント作成のタスクを自動化することが理解することができる。デジタルカメラ上の特定のフォルダ２０内への写真の自動的な格納は、イベントの機能であるか、またはフォルダ２０が関連する機能である。フォルダ２０は、目的の各特定のイベントを識別し、それに関連する写真を含む。
【００２６】
フォルダ２０は、イベントに関連しているため、特定の写真を見つけるために走査しなければならないアイテムの数が、たとえば、おそらくは１桁、大幅に減らされる。本発明は、ユーザによる画像の取り込みの経験を真似るように、写真または画像の取り込みおよび再生（または、ビューイング）を自動化する。
【００２７】
このように、デジタルカメラシステム等の改良されたコンピュータ機器、および自動化されたイベント作成を実施する改良された方法が開示されている。上記の実施形態は、本発明の原理の応用を表す多くの具体的な実施形態のいくつかを単に示すものであることを理解されたい。多くの他の構成は、本発明の範囲から逸脱せずに、当業者によって容易に考案されることができることは明白である。
【図面の簡単な説明】
【００２８】
【図１】本発明の原理による、電子メールを基にするイベントの作成の例示的な実施形態を示す図である。
【図２】本発明の原理による、例示的な、電子メールを基にするイベントの作成方法を示す流れ図である。
【図３】本発明の原理による、ドッキングを基にするイベント作成の例示的な実施形態を示す図である。
【図４】本発明の原理による、例示的な、ドッキングを基にするイベントの作成方法を示す流れ図である。
【符号の説明】
【００２９】
１０：周辺機器
３０：コンピュータ機器
３２：ソフトウェア
【図１】
2005149479.tif 000003
【図２】
2005149479.tif 000004
【図３】
2005149479.tif 000005
【図４】
2005149479.tif 000006